【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
サービスを提供するサービス提供端末と、サービスの提供対象となる提供対象デバイスを通信可能に接続するゲートウェイ端末とを通信可能に接続し、前記提供対象デバイスに関するデバイス情報に基づいて当該提供対象デバイスにサービスを提供するシステムであって、
前記デバイス情報を取得するデバイス情報取得手段と、前記デバイス情報取得手段で取得したデバイス情報に基づいて前記提供対象デバイスにつきサービスを提供するサービス提供手段とを備え、
前記サービス提供端末がサービスを提供するにあたって、前記デバイス情報取得手段を含むバンドルを前記提供対象デバイスに送信し、
前記ゲートウェイ端末は、前記バンドルを受信したときは、受信したバンドルに基づいて前記デバイス情報取得手段を構成するようになっていることを特徴とするサービス提供システム。
【請求項２】
サービスを提供するサービス提供端末と、サービスの提供対象となる提供対象デバイスとを通信可能に接続し、前記提供対象デバイスに関するデバイス情報に基づいて当該提供対象デバイスにサービスを提供するシステムであって、
前記提供対象デバイスから前記デバイス情報を取得するデバイス情報取得手段と、前記デバイス情報取得手段で取得したデバイス情報に基づいて前記提供対象デバイスにつきサービスを提供するサービス提供手段とを備え、
前記サービス提供端末がサービスを提供するにあたって、前記デバイス情報取得手段を含むバンドルを前記提供対象デバイスに送信し、
前記提供対象デバイスは、前記バンドルを受信したときは、受信したバンドルに基づいて前記デバイス情報取得手段を構成するようになっていることを特徴とするサービス提供システム。
【請求項３】
請求項１及び２のいずれかにおいて、
前記サービス提供手段は、異なる複数のサービスを提供可能であり、前記デバイス情報取得手段で取得したデバイス情報に基づいて、前記複数のサービスのうち前記提供対象デバイスの機能、種別その他の内容に応じたサービスを提供するようになっていることを特徴とするサービス提供システム。
【請求項４】
サービスを提供するサービス提供側設備と、サービスの提供対象となる提供対象デバイスを通信可能に接続するゲートウェイ端末とを通信可能に接続し、前記サービス提供側設備がサービスを提供するにあたって前記ゲートウェイ端末にバンドルを適用し、前記提供対象デバイスに関するデバイス情報を前記バンドルにより取得し、取得したデバイス情報に基づいて前記提供対象デバイスにサービスを提供するシステムであって、
前記バンドルは、前記デバイス情報を取得するデバイス情報取得手段と、前記デバイス情報取得手段で取得したデバイス情報を前記サービス提供側設備に通知するデバイス情報通知手段とを含み、
前記サービス提供側設備は、前記バンドルを生成するバンドル生成手段と、前記バンドル生成手段で生成したバンドルを前記ゲートウェイ端末に送信するバンドル送信手段と、前記デバイス情報通知手段から通知されたデバイス情報に基づいて前記提供対象デバイスにつきサービスを提供するサービス提供手段とを有し、
前記ゲートウェイ端末は、前記バンドルを受信したときは、受信したバンドルに基づいて前記デバイス情報取得手段及び前記デバイス情報通知手段を構成するようになっていることを特徴とするサービス提供システム。
【請求項５】
請求項４において、
前記サービス提供側設備は、前記バンドル生成手段及び前記バンドル送信手段を有するバンドル管理端末と、前記サービス提供手段を有するサービス提供端末とを通信可能に接続してなり、
前記デバイス情報通知手段は、前記デバイス情報取得手段で取得したデバイス情報を前記サービス提供端末に通知するようになっており、
前記バンドル生成手段は、前記サービス提供端末からの要求に応じて前記バンドルを生成するようになっていることを特徴とするサービス提供システム。
【請求項６】
請求項５において、
前記サービス提供手段は、異なる複数のサービスが提供可能であり、前記デバイス情報通知手段から通知されたデバイス情報に基づいて、前記複数のサービスのうち前記提供対象デバイスの機能、種別その他の内容に応じたサービスを提供するようになっていることを特徴とするサービス提供システム。
【請求項７】
請求項６において、
前記バンドルは、当該バンドルを削除するバンドル削除手段を含み、
前記バンドル削除手段は、サービスの提供が終了したときは、前記バンドルを削除するようになっていることを特徴とするサービス提供システム。
【請求項８】
請求項６及び７のいずれかにおいて、
前記バンドルは、サービスの終了を前記サービス提供端末に通知するサービス終了通知手段を含み、
前記サービス終了通知手段は、サービスの提供が終了したときは、サービスが終了したことを前記サービス提供端末に通知するようになっていることを特徴とするサービス提供システム。
【請求項９】
請求項６乃至８のいずれかにおいて、
前記サービス提供端末は、異なる複数の提供対象デバイスのそれぞれについて当該提供対象デバイスに関連する物品又はサービスに関するコンテンツを記憶するためのコンテンツ記憶手段を有し、
前記サービス提供手段は、前記デバイス情報通知手段から通知されたデバイス情報に基づいて、前記提供対象デバイスの機能、種別その他の内容に応じたコンテンツを前記コンテンツ記憶手段のなかから読み出し、読み出したコンテンツに基づいて電子カタログを生成し、生成した電子カタログを前記ゲートウェイ端末に送信するようになっていることを特徴とするサービス提供システム。
【請求項１０】
請求項９において、
前記サービス提供手段は、サービスを提供すべき提供要求を受信したときは、前記提供要求に係る提供対象デバイスに前記バンドルを適用すべき適用要求を前記バンドル管理端末に送信し、前記提供要求に係る提供対象デバイスについて、前記コンテンツの読出及び前記電子カタログの生成を行い、生成した電子カタログを前記提供要求の送信元に提示し、前記提供要求の送信元による確認を待って前記電子カタログの送信を行うようになっていることを特徴とするサービス提供システム。
【請求項１１】
請求項１０において、
前記サービス提供手段は、前記電子カタログの提示に伴って前記電子カタログの編集を要求する編集要求を受信したときは、前記編集要求の要求元に対して前記電子カタログの編集を許可し、その編集の終了を待って前記電子カタログの送信を行うようになっていることを特徴とするサービス提供システム。
【請求項１２】
請求項６乃至１１のいずれかにおいて、
前記サービス提供端末は、前記提供対象デバイスのユーザに関するユーザ情報を記憶するためのユーザ情報記憶手段を有し、
前記サービス提供手段は、前記デバイス情報通知手段から通知されたデバイス情報及び前記ユーザ情報記憶手段のユーザ情報に基づいて、前記複数のサービスのうち前記提供対象デバイスの機能、種別その他の内容に応じたサービスを提供するようになっていることを特徴とするサービス提供システム。
【請求項１３】
請求項６乃至１１のいずれかにおいて、
複数の前記提供対象デバイスを通信可能に接続し、
前記サービス提供手段は、複数の前記提供対象デバイスに適用したバンドルの前記デバイス情報通知手段から通知されたデバイス情報に基づいて、前記複数のサービスのうちそれら提供対象デバイスの機能、種別その他の内容の組み合わせに応じたサービスを提供するようになっていることを特徴とするサービス提供システム。
【請求項１４】
請求項１３において、
前記サービス提供端末は、前記各提供対象デバイスごとに当該提供対象デバイスのユーザに関するユーザ情報を記憶するためのユーザ情報記憶手段を有し、
前記サービス提供手段は、複数の前記提供対象デバイスに適用したバンドルの前記デバイス情報通知手段から通知されたデバイス情報及び前記ユーザ情報記憶手段の対応する複数のユーザ情報に基づいて、前記複数のサービスのうちそれら提供対象デバイスの機能、種別その他の内容の組み合わせに応じたサービスを提供するようになっていることを特徴とするサービス提供システム。
【請求項１５】
サービスを提供するサービス提供側設備と、サービスの提供対象となる提供対象デバイスとを通信可能に接続し、前記サービス提供側設備がサービスを提供するにあたって前記提供対象デバイスにバンドルを適用し、前記提供対象デバイスに関するデバイス情報を前記バンドルにより取得し、取得したデバイス情報に基づいて前記提供対象デバイスにサービスを提供するシステムであって、
前記バンドルは、前記提供対象デバイスから前記デバイス情報を取得するデバイス情報取得手段と、前記デバイス情報取得手段で取得したデバイス情報を前記サービス提供側設備に通知するデバイス情報通知手段とを含み、
前記サービス提供側設備は、前記バンドルを生成するバンドル生成手段と、前記バンドル生成手段で生成したバンドルを前記提供対象デバイスに送信するバンドル送信手段と、前記デバイス情報通知手段から通知されたデバイス情報に基づいて前記提供対象デバイスにつきサービスを提供するサービス提供手段とを有し、
前記提供対象デバイスは、前記バンドルを受信したときは、受信したバンドルに基づいて前記デバイス情報取得手段及び前記デバイス情報通知手段を構成するようになっていることを特徴とするサービス提供システム。
【請求項１６】
請求項１５において、
前記サービス提供側設備は、前記バンドル生成手段及び前記バンドル送信手段を有するバンドル管理端末と、前記サービス提供手段を有するサービス提供端末とを通信可能に接続してなり、
前記デバイス情報通知手段は、前記デバイス情報取得手段で取得したデバイス情報を前記サービス提供端末に通知するようになっており、
前記バンドル生成手段は、前記サービス提供端末からの要求に応じて前記バンドルを生成するようになっていることを特徴とするサービス提供システム。
【請求項１７】
請求項１６において、
前記サービス提供手段は、異なる複数のサービスが提供可能であり、前記デバイス情報通知手段から通知されたデバイス情報に基づいて、前記複数のサービスのうち前記提供対象デバイスの機能、種別その他の内容に応じたサービスを提供するようになっていることを特徴とするサービス提供システム。
【請求項１８】
ゲートウェイ端末に通信可能に接続する設備であって、
バンドルを生成するバンドル生成手段と、前記バンドル生成手段で生成したバンドルを前記ゲートウェイ端末に送信するバンドル送信手段と、通知された、サービスの提供対象となる提供対象デバイスに関するデバイス情報に基づいて前記提供対象デバイスにつきサービスを提供するサービス提供手段とを備え、
前記バンドルは、前記デバイス情報を取得するデバイス情報取得手段と、前記デバイス情報取得手段で取得したデバイス情報を当該サービス提供側設備に通知するデバイス情報通知手段とを含むことを特徴とするサービス提供側設備。
【請求項１９】
提供対象デバイスに通信可能に接続する設備であって、
バンドルを生成するバンドル生成手段と、前記バンドル生成手段で生成したバンドルをサービスの提供対象となる提供対象デバイスに送信するバンドル送信手段と、通知された、前記提供対象デバイスに関するデバイス情報に基づいて前記提供対象デバイスにつきサービスを提供するサービス提供手段とを備え、
前記バンドルは、前記提供対象デバイスから前記デバイス情報を取得するデバイス情報取得手段と、前記デバイス情報取得手段で取得したデバイス情報を当該サービス提供側設備に通知するデバイス情報通知手段とを含むことを特徴とするサービス提供側設備。
【請求項２０】
サービス提供端末及びゲートウェイ端末に通信可能に接続する端末であって、
前記サービス提供端末からの要求に応じてバンドルを生成するバンドル生成手段と、前記バンドル生成手段で生成したバンドルを前記ゲートウェイ端末に送信するバンドル送信手段とを備え、
前記バンドルは、サービスの提供対象となる提供対象デバイスに関するデバイス情報を取得するデバイス情報取得手段と、前記デバイス情報取得手段で取得したデバイス情報を前記サービス提供端末に通知するデバイス情報通知手段とを含むことを特徴とするバンドル管理端末。
【請求項２１】
サービス提供端末及び提供対象デバイスに通信可能に接続する端末であって、
前記サービス提供端末からの要求に応じてバンドルを生成するバンドル生成手段と、前記バンドル生成手段で生成したバンドルをサービスの提供対象となる提供対象デバイスに送信するバンドル送信手段とを備え、
前記バンドルは、前記提供対象デバイスに関するデバイス情報を前記提供対象デバイスから取得するデバイス情報取得手段と、前記デバイス情報取得手段で取得したデバイス情報を前記サービス提供端末に通知するデバイス情報通知手段とを含むことを特徴とするバンドル管理端末。
【請求項２２】
バンドル管理端末及びゲートウェイ端末に通信可能に接続する端末であって、
通知された、サービスの提供対象となる提供対象デバイスに関するデバイス情報に基づいて前記提供対象デバイスにつきサービスを提供するサービス提供手段を備えることを特徴とするサービス提供端末。
【請求項２３】
バンドル管理端末及び提供対象デバイスに通信可能に接続する端末であって、
通知された、サービスの提供対象となる提供対象デバイスに関するデバイス情報に基づいて前記提供対象デバイスにつきサービスを提供するサービス提供手段を備えることを特徴とするサービス提供端末。
【請求項２４】
コンピュータからなるバンドル管理端末に実行させるためのプログラムであって、
サービス提供端末からの要求に応じてバンドルを生成するバンドル生成手段、及び前記バンドル生成手段で生成したバンドルをゲートウェイ端末に送信するバンドル送信手段として実現される処理を実行させるためのプログラムであり、
前記バンドルは、サービスの提供対象となる提供対象デバイスに関するデバイス情報を取得するデバイス情報取得手段と、前記デバイス情報取得手段で取得したデバイス情報を前記サービス提供端末に通知するデバイス情報通知手段とを含むことを特徴とする端末用プログラム。
【請求項２５】
コンピュータからなるバンドル管理端末に実行させるためのプログラムであって、
サービス提供端末からの要求に応じてバンドルを生成するバンドル生成手段、及び前記バンドル生成手段で生成したバンドルをサービスの提供対象となる提供対象デバイスに送信するバンドル送信手段として実現される処理を実行させるためのプログラムであり、
前記バンドルは、前記提供対象デバイスに関するデバイス情報を前記提供対象デバイスから取得するデバイス情報取得手段と、前記デバイス情報取得手段で取得したデバイス情報を前記サービス提供端末に通知するデバイス情報通知手段とを含むことを特徴とする端末用プログラム。
【請求項２６】
コンピュータからなるサービス提供端末に実行させるためのプログラムであって、
通知された、サービスの提供対象となる提供対象デバイスに関するデバイス情報に基づいて前記提供対象デバイスにつきサービスを提供するサービス提供手段として実現される処理を実行させるためのプログラムであることを特徴とする端末用プログラム。
【請求項２７】
ゲートウェイ端末に適用するバンドルのデータ構造であって、
サービスの提供対象となる提供対象デバイスに関するデバイス情報を取得するデバイス情報取得手段と、前記デバイス情報取得手段で取得したデバイス情報をサービス提供側設備に通知するデバイス情報通知手段とを含むことを特徴とするバンドルのデータ構造。
【請求項２８】
提供対象デバイスに適用するバンドルのデータ構造であって、
サービスの提供対象となる提供対象デバイスに関するデバイス情報を前記提供対象デバイスから取得するデバイス情報取得手段と、前記デバイス情報取得手段で取得したデバイス情報をサービス提供側設備に通知するデバイス情報通知手段とを含むことを特徴とするバンドルのデータ構造。
【請求項２９】
サービスを提供するサービス提供側設備と、サービスの提供対象となる提供対象デバイスを通信可能に接続するゲートウェイ端末とを通信可能に接続し、前記サービス提供側設備がサービスを提供するにあたって前記ゲートウェイ端末にバンドルを適用し、前記提供対象デバイスに関するデバイス情報を前記バンドルにより取得し、取得したデバイス情報に基づいて前記提供対象デバイスにサービスを提供する方法であって、
前記バンドルは、前記デバイス情報を取得するデバイス情報取得手段と、前記デバイス情報取得手段で取得したデバイス情報を前記サービス提供側設備に通知するデバイス情報通知手段とを含み、
前記サービス提供側設備に対しては、前記バンドルを生成するバンドル生成ステップと、前記バンドル生成ステップで生成したバンドルを前記ゲートウェイ端末に送信するバンドル送信ステップとを含み、
前記ゲートウェイ端末に対しては、前記バンドルを受信したときは、受信したバンドルに基づいて前記デバイス情報取得手段及び前記デバイス情報通知手段を構成する構成ステップを含み、
前記サービス提供側設備に対しては、前記デバイス情報通知手段から通知されたデバイス情報に基づいて前記提供対象デバイスにサービスを提供するサービス提供ステップを含むことを特徴とするサービス提供方法。
【請求項３０】
サービスを提供するサービス提供側設備と、サービスの提供対象となる提供対象デバイスとを通信可能に接続し、前記サービス提供側設備がサービスを提供するにあたって前記提供対象デバイスにバンドルを適用し、前記提供対象デバイスに関するデバイス情報を前記バンドルにより取得し、取得したデバイス情報に基づいて前記提供対象デバイスにサービスを提供する方法であって、
前記バンドルは、前記提供対象デバイスから前記デバイス情報を取得するデバイス情報取得手段と、前記デバイス情報取得手段で取得したデバイス情報を前記サービス提供側設備に通知するデバイス情報通知手段とを含み、
前記サービス提供側設備に対しては、前記バンドルを生成するバンドル生成ステップと、前記バンドル生成ステップで生成したバンドルを前記提供対象デバイスに送信するバンドル送信ステップとを含み、
前記提供対象デバイスに対しては、前記バンドルを受信したときは、受信したバンドルに基づいて前記デバイス情報取得手段及び前記デバイス情報通知手段を構成する構成ステップを含み、
前記サービス提供側設備に対しては、前記デバイス情報通知手段から通知されたデバイス情報に基づいて前記提供対象デバイスにサービスを提供するサービス提供ステップを含むことを特徴とするサービス提供方法。
【請求項３１】
バンドルを生成する方法であって、
前記バンドルを生成するバンドル生成ステップを含み、
前記バンドルは、サービスの提供対象となる提供対象デバイスに関するデバイス情報を取得するデバイス情報取得手段と、前記デバイス情報取得手段で取得したデバイス情報をサービス提供側設備に通知するデバイス情報通知手段とを含むことを特徴とするバンドルの生成方法。
【請求項３２】
バンドルを生成する方法であって、
前記バンドルを生成するバンドル生成ステップを含み、
前記バンドルは、サービスの提供対象となる提供対象デバイスに関するデバイス情報を前記提供対象デバイスから取得するデバイス情報取得手段と、前記デバイス情報取得手段で取得したデバイス情報をサービス提供側設備に通知するデバイス情報通知手段とを含むことを特徴とするバンドルの生成方法。
【手続補正２】
【補正対象書類名】明細書
【補正対象項目名】００１１
【補正方法】変更
【補正の内容】
【００１１】
このような構成であれば、サービス提供端末がサービスを提供するにあたって、デバイス情報取得手段を含むバンドルがゲートウェイ端末に送信される。
ゲートウェイ端末では、バンドルを受信すると、受信したバンドルに基づいてデバイス情報取得手段が構成される。その結果、デバイス情報取得手段により、デバイス情報が取得される。
そして、サービス提供手段により、取得されたデバイス情報に基づいて提供対象デバイスにつきサービスが提供される。
これにより、提供対象デバイスに応じたサービスを提供することができる。また、バンドルによりデバイス情報が取得されるので、デバイス情報の登録作業が不要となるとともに、デバイス情報の取得内容に不備が存在する可能性を低減することができる。したがって、従来に比して、提供対象デバイスに応じたサービスが提供可能となり、しかも手間や時間の面で比較的有利で、不適切な内容のサービスが提供される可能性を低減することもできるという効果が得られる。
【手続補正３】
【補正対象書類名】明細書
【補正対象項目名】００１５
【補正方法】変更
【補正の内容】
【００１５】
このような構成であれば、サービス提供端末がサービスを提供するにあたって、デバイス情報取得手段を含むバンドルが提供対象デバイスに送信される。
提供対象デバイスでは、バンドルを受信すると、受信したバンドルに基づいてデバイス情報取得手段が構成される。その結果、デバイス情報取得手段により、提供対象デバイスからデバイス情報が取得される。
そして、サービス提供手段により、取得されたデバイス情報に基づいて提供対象デバイスにつきサービスが提供される。
これにより、提供対象デバイスに応じたサービスを提供することができる。また、バンドルによりデバイス情報が取得されるので、デバイス情報の登録作業が不要となるとともに、デバイス情報の取得内容に不備が存在する可能性を低減することができる。したがって、従来に比して、提供対象デバイスに応じたサービスが提供可能となり、しかも手間や時間の面で比較的有利で、不適切な内容のサービスが提供される可能性を低減することもできるという効果が得られる。
【手続補正４】
【補正対象書類名】明細書
【補正対象項目名】００１７
【補正方法】変更
【補正の内容】
【００１７】
このような構成であれば、サービス提供手段により、取得されたデバイス情報に基づいて、複数のサービスのうち提供対象デバイスの機能、種別その他の内容に応じたサービスが提供される。
これにより、従来に比して、提供対象デバイスの機能、種別その他の内容に応じたサービスが提供可能となり、しかも手間や時間の面で比較的有利で、不適切な内容のサービスが提供される可能性を低減することができるという効果も得られる。
〔発明４〕
さらに、発明４のサービス提供システムは、
サービスを提供するサービス提供側設備と、サービスの提供対象となる提供対象デバイスを通信可能に接続するゲートウェイ端末とを通信可能に接続し、前記サービス提供側設備がサービスを提供するにあたって前記ゲートウェイ端末にバンドルを適用し、前記提供対象デバイスに関するデバイス情報を前記バンドルにより取得し、取得したデバイス情報に基づいて前記提供対象デバイスにサービスを提供するシステムであって、
前記バンドルは、前記デバイス情報を取得するデバイス情報取得手段と、前記デバイス情報取得手段で取得したデバイス情報を前記サービス提供側設備に通知するデバイス情報通知手段とを含み、
前記サービス提供側設備は、前記バンドルを生成するバンドル生成手段と、前記バンドル生成手段で生成したバンドルを前記ゲートウェイ端末に送信するバンドル送信手段と、前記デバイス情報通知手段から通知されたデバイス情報に基づいて前記提供対象デバイスにつきサービスを提供するサービス提供手段とを有し、
前記ゲートウェイ端末は、前記バンドルを受信したときは、受信したバンドルに基づいて前記デバイス情報取得手段および前記デバイス情報通知手段を構成するようになっていることを特徴とする。
【手続補正５】
【補正対象書類名】明細書
【補正対象項目名】００１９
【補正方法】変更
【補正の内容】
【００１９】
サービス提供側設備では、デバイス情報が通知されると、サービス提供手段により、通知されたデバイス情報に基づいて提供対象デバイスにつきサービスが提供される。
これにより、提供対象デバイスに応じたサービスを提供することができる。また、バンドルによりデバイス情報が取得されるので、デバイス情報の登録作業が不要となるとともに、デバイス情報の取得内容に不備が存在する可能性を低減することができる。したがって、従来に比して、提供対象デバイスに応じたサービスが提供可能となり、しかも手間や時間の面で比較的有利で、不適切な内容のサービスが提供される可能性を低減することもできるという効果が得られる。
ここで、サービス提供側設備は、ゲートウェイ端末との通信路の一端に接続する通信設備であって少なくともサーバ機能を有するものであればよく、クライアント機能およびサーバ機能の両方を兼ね揃えるものとして構成することもできる。以下、発明１８のサービス提供側設備、発明２８のバンドルのデータ構造、発明３０のサービス提供方法、および発明３２のバンドルの生成方法において同じである。
〔発明５〕
さらに、発明５のサービス提供システムは、発明４のサービス提供システムにおいて、
前記サービス提供側設備は、前記バンドル生成手段および前記バンドル送信手段を有するバンドル管理端末と、前記サービス提供手段を有するサービス提供端末とを通信可能に接続してなり、
前記デバイス情報通知手段は、前記デバイス情報取得手段で取得したデバイス情報を前記サービス提供端末に通知するようになっており、
前記バンドル生成手段は、前記サービス提供端末からの要求に応じて前記バンドルを生成するようになっていることを特徴とする。
【手続補正６】
【補正対象書類名】明細書
【補正対象項目名】００２２
【補正方法】変更
【補正の内容】
【００２２】
このような構成であれば、サービス提供手段により、取得されたデバイス情報に基づいて、複数のサービスのうち提供対象デバイスの機能、種別その他の内容に応じたサービスが提供される。
これにより、従来に比して、提供対象デバイスの機能、種別その他の内容に応じたサービスが提供可能となり、しかも手間や時間の面で比較的有利で、不適切な内容のサービスが提供される可能性を低減することができるという効果も得られる。
〔発明７〕
さらに、発明７のサービス提供システムは、発明６のサービス提供システムにおいて、
前記バンドルは、当該バンドルを削除するバンドル削除手段を含み、
前記バンドル削除手段は、サービスの提供が終了したときは、前記バンドルを削除するようになっていることを特徴とする。
【手続補正７】
【補正対象書類名】明細書
【補正対象項目名】００２３
【補正方法】変更
【補正の内容】
【００２３】
このような構成であれば、ゲートウェイ端末では、バンドルを受信すると、受信したバンドルに基づいて、バンドル削除手段が構成される。したがって、サービスの提供が終了すると、バンドルが削除される。
これにより、サービスの提供が終了したときにバンドルが削除されるので、サービスを提供するごとに、提供対象デバイスに最新のバンドルを適用することができるという効果も得られる。
〔発明８〕
さらに、発明８のサービス提供システムは、発明６および７のいずれかのサービス提供システムにおいて、
前記バンドルは、サービスの終了を前記サービス提供端末に通知するサービス終了通知手段を含み、
前記サービス終了通知手段は、サービスの提供が終了したときは、サービスが終了したことを前記サービス提供端末に通知するようになっていることを特徴とする。
【手続補正８】
【補正対象書類名】明細書
【補正対象項目名】００２４
【補正方法】変更
【補正の内容】
【００２４】
このような構成であれば、ゲートウェイ端末では、バンドルを受信すると、受信したバンドルに基づいて、サービス終了通知手段が構成される。したがって、サービスの提供が終了すると、サービスが終了したことがサービス提供端末に通知される。
これにより、サービス提供端末でサービスの提供が終了したことを把握することができるという効果も得られる。
〔発明９〕
さらに、発明９のサービス提供システムは、発明６ないし８のいずれかのサービス提供システムにおいて、
前記サービス提供端末は、異なる複数の提供対象デバイスのそれぞれについて当該提供対象デバイスに関連する物品またはサービスに関するコンテンツを記憶するためのコンテンツ記憶手段を有し、
前記サービス提供手段は、前記デバイス情報通知手段から通知されたデバイス情報に基づいて、前記提供対象デバイスの機能、種別その他の内容に応じたコンテンツを前記コンテンツ記憶手段のなかから読み出し、読み出したコンテンツに基づいて電子カタログを生成し、生成した電子カタログを前記ゲートウェイ端末に送信するようになっていることを特徴とする。
【手続補正９】
【補正対象書類名】明細書
【補正対象項目名】００２５
【補正方法】変更
【補正の内容】
【００２５】
このような構成であれば、サービス提供手段により、通知されたデバイス情報に基づいて、提供対象デバイスの機能、種別その他の内容に応じたコンテンツがコンテンツ記憶手段のなかから読み出され、読み出されたコンテンツに基づいて電子カタログが生成され、生成された電子カタログがゲートウェイ端末に送信される。
これにより、提供対象デバイスの機能、種別その他の内容に応じた電子カタログ配信サービスを提供することができるという効果も得られる。
ここで、コンテンツ記憶手段は、コンテンツをあらゆる手段でかつあらゆる時期に記憶するものであり、コンテンツをあらかじめ記憶してあるものであってもよいし、コンテンツをあらかじめ記憶することなく、本装置の動作時に外部からの入力等によってコンテンツを記憶するようになっていてもよい。
〔発明１０〕
さらに、発明１０のサービス提供システムは、発明９のサービス提供システムにおいて、
前記サービス提供手段は、サービスを提供すべき提供要求を受信したときは、前記提供要求に係る提供対象デバイスに前記バンドルを適用すべき適用要求を前記バンドル管理端末に送信し、前記提供要求に係る提供対象デバイスについて、前記コンテンツの読出および前記電子カタログの生成を行い、生成した電子カタログを前記提供要求の送信元に提示し、前記提供要求の送信元による確認を待って前記電子カタログの送信を行うようになっていることを特徴とする。
【手続補正１０】
【補正対象書類名】明細書
【補正対象項目名】００２６
【補正方法】変更
【補正の内容】
【００２６】
このような構成であれば、サービス提供端末では、サービスを提供すべき提供要求を受信すると、サービス提供手段により、提供要求に係る提供対象デバイスにバンドルを適用すべき適用要求がバンドル管理端末に送信される。そして、提供要求に係る提供対象デバイスについて、コンテンツの読出および電子カタログの生成が行われ、生成された電子カタログが提供要求の送信元に提示し、提供要求の送信元による確認を待って電子カタログの送信が行われる。
これにより、提供要求の送信元による確認を待って電子カタログが送信されるので、サービス提供者は、電子カタログの送信に先立って配信内容を確認することができるという効果も得られる。
〔発明１１〕
さらに、発明１１のサービス提供システムは、発明１０のサービス提供システムにおいて、
前記サービス提供手段は、前記電子カタログの提示に伴って前記電子カタログの編集を要求する編集要求を受信したときは、前記編集要求の要求元に対して前記電子カタログの編集を許可し、その編集の終了を待って前記電子カタログの送信を行うようになっていることを特徴とする。
【手続補正１１】
【補正対象書類名】明細書
【補正対象項目名】００２７
【補正方法】変更
【補正の内容】
【００２７】
このような構成であれば、電子カタログの提示に伴って電子カタログの編集を要求する編集要求を受信すると、サービス提供手段により、編集要求の要求元に対して電子カタログの編集が許可され、その編集の終了を待って電子カタログの送信が行われる。
これにより、提供要求の送信元による編集の終了を待って電子カタログが送信されるので、サービス提供者は、電子カタログの送信に先立って配信内容を編集することができるという効果も得られる。
〔発明１２〕
さらに、発明１２のサービス提供システムは、発明６ないし１１のいずれかのサービス提供システムにおいて、
前記サービス提供端末は、前記提供対象デバイスのユーザに関するユーザ情報を記憶するためのユーザ情報記憶手段を有し、
前記サービス提供手段は、前記デバイス情報通知手段から通知されたデバイス情報および前記ユーザ情報記憶手段のユーザ情報に基づいて、前記複数のサービスのうち前記提供対象デバイスの機能、種別その他の内容に応じたサービスを提供するようになっていることを特徴とする。
【手続補正１２】
【補正対象書類名】明細書
【補正対象項目名】００２８
【補正方法】変更
【補正の内容】
【００２８】
このような構成であれば、サービス提供手段により、通知されたデバイス情報およびユーザ情報記憶手段のユーザ情報に基づいて、複数のサービスのうち提供対象デバイスの機能、種別その他の内容に応じたサービスが提供される。
これにより、提供対象デバイスの機能、種別その他の内容およびユーザに応じたサービスを提供することができるという効果も得られる。
ここで、ユーザ情報記憶手段は、ユーザ情報をあらゆる手段でかつあらゆる時期に記憶するものであり、ユーザ情報をあらかじめ記憶してあるものであってもよいし、ユーザ情報をあらかじめ記憶することなく、本装置の動作時に外部からの入力等によってユーザ情報を記憶するようになっていてもよい。以下、発明１４のサービス提供システムにおいて同じである。
〔発明１３〕
さらに、発明１３のサービス提供システムは、発明６ないし１１のいずれかのサービス提供システムにおいて、
複数の前記提供対象デバイスを通信可能に接続し、
前記サービス提供手段は、複数の前記提供対象デバイスに適用したバンドルの前記デバイス情報通知手段から通知されたデバイス情報に基づいて、前記複数のサービスのうちそれら提供対象デバイスの機能、種別その他の内容の組み合わせに応じたサービスを提供するようになっていることを特徴とする。
【手続補正１３】
【補正対象書類名】明細書
【補正対象項目名】００２９
【補正方法】変更
【補正の内容】
【００２９】
このような構成であれば、サービス提供手段により、複数の提供対象デバイスに適用したバンドルのデバイス情報通知手段から通知されたデバイス情報に基づいて、複数のサービスのうちそれら提供対象デバイスの機能、種別その他の内容の組み合わせに応じたサービスが提供される。
これにより、提供対象デバイスの機能、種別その他の内容の組み合わせに応じたサービスを提供することができるという効果も得られる。
〔発明１４〕
さらに、発明１４のサービス提供システムは、発明１３のサービス提供システムにおいて、
前記サービス提供端末は、前記各提供対象デバイスごとに当該提供対象デバイスのユーザに関するユーザ情報を記憶するためのユーザ情報記憶手段を有し、
前記サービス提供手段は、複数の前記提供対象デバイスに適用したバンドルの前記デバイス情報通知手段から通知されたデバイス情報および前記ユーザ情報記憶手段の対応する複数のユーザ情報に基づいて、前記複数のサービスのうちそれら提供対象デバイスの機能、種別その他の内容の組み合わせに応じたサービスを提供するようになっていることを特徴とする。
【手続補正１４】
【補正対象書類名】明細書
【補正対象項目名】００３０
【補正方法】変更
【補正の内容】
【００３０】
このような構成であれば、サービス提供手段は、複数の提供対象デバイスに適用したバンドルのデバイス情報通知手段から通知されたデバイス情報およびユーザ情報記憶手段の対応する複数のユーザ情報に基づいて、複数のサービスのうちそれら提供対象デバイスの機能、種別その他の内容の組み合わせに応じたサービスが提供される。
これにより、従来に比して、提供対象デバイスの機能、種別その他の内容に応じたサービスが提供可能となり、しかも手間や時間の面で比較的有利で、不適切な内容のサービスが提供される可能性を低減することができるという効果も得られる。また、提供対象デバイスの機能、種別その他の内容の組み合わせおよびユーザに応じたサービスを提供することができるという効果も得られる。
〔発明１５〕
さらに、発明１５のサービス提供システムは、
サービスを提供するサービス提供側設備と、サービスの提供対象となる提供対象デバイスとを通信可能に接続し、前記サービス提供側設備がサービスを提供するにあたって前記提供対象デバイスにバンドルを適用し、前記提供対象デバイスに関するデバイス情報を前記バンドルにより取得し、取得したデバイス情報に基づいて前記提供対象デバイスにサービスを提供するシステムであって、
前記バンドルは、前記提供対象デバイスから前記デバイス情報を取得するデバイス情報取得手段と、前記デバイス情報取得手段で取得したデバイス情報を前記サービス提供側設備に通知するデバイス情報通知手段とを含み、
前記サービス提供側設備は、前記バンドルを生成するバンドル生成手段と、前記バンドル生成手段で生成したバンドルを前記提供対象デバイスに送信するバンドル送信手段と、前記デバイス情報通知手段から通知されたデバイス情報に基づいて前記提供対象デバイスにつきサービスを提供するサービス提供手段とを有し、
前記提供対象デバイスは、前記バンドルを受信したときは、受信したバンドルに基づいて前記デバイス情報取得手段および前記デバイス情報通知手段を構成するようになっていることを特徴とする。
【手続補正１５】
【補正対象書類名】明細書
【補正対象項目名】００３２
【補正方法】変更
【補正の内容】
【００３２】
サービス提供側設備では、デバイス情報が通知されると、サービス提供手段により、通知されたデバイス情報に基づいて提供対象デバイスにつきサービスが提供される。
これにより、提供対象デバイスに応じたサービスを提供することができる。また、バンドルによりデバイス情報が取得されるので、デバイス情報の登録作業が不要となるとともに、デバイス情報の取得内容に不備が存在する可能性を低減することができる。したがって、従来に比して、提供対象デバイスに応じたサービスが提供可能となり、しかも手間や時間の面で比較的有利で、不適切な内容のサービスが提供される可能性を低減することもできるという効果が得られる。
ここで、サービス提供側設備は、提供対象デバイスとの通信路の一端に接続する通信設備であって少なくともサーバ機能を有するものであればよく、クライアント機能およびサーバ機能の両方を兼ね揃えるものとして構成することもできる。以下、発明１９のサービス提供側設備、発明２９のバンドルのデータ構造、発明３１のサービス提供方法、および発明３３のバンドルの生成方法において同じである。
〔発明１６〕
さらに、発明１６のサービス提供システムは、発明１５のサービス提供システムにおいて、
前記サービス提供側設備は、前記バンドル生成手段および前記バンドル送信手段を有するバンドル管理端末と、前記サービス提供手段を有するサービス提供端末とを通信可能に接続してなり、
前記デバイス情報通知手段は、前記デバイス情報取得手段で取得したデバイス情報を前記サービス提供端末に通知するようになっており、
前記バンドル生成手段は、前記サービス提供端末からの要求に応じて前記バンドルを生成するようになっていることを特徴とする。
【手続補正１６】
【補正対象書類名】明細書
【補正対象項目名】００３５
【補正方法】変更
【補正の内容】
【００３５】
このような構成であれば、サービス提供手段により、取得されたデバイス情報に基づいて、複数のサービスのうち提供対象デバイスの機能、種別その他の内容に応じたサービスが提供される。
これにより、従来に比して、提供対象デバイスの機能、種別その他の内容に応じたサービスが提供可能となり、しかも手間や時間の面で比較的有利で、不適切な内容のサービスが提供される可能性を低減することができるという効果も得られる。
〔発明１８〕
一方、上記目的を達成するために、発明１８のサービス提供側設備は、
発明４のサービス提供システムにおけるゲートウェイ端末に通信可能に接続する設備であって、
前記バンドルを生成するバンドル生成手段と、前記バンドル生成手段で生成したバンドルを前記ゲートウェイ端末に送信するバンドル送信手段と、前記デバイス情報通知手段から通知されたデバイス情報に基づいて前記提供対象デバイスにつきサービスを提供するサービス提供手段とを備え、
前記バンドルは、前記デバイス情報を取得するデバイス情報取得手段と、前記デバイス情報取得手段で取得したデバイス情報を当該に通知するデバイス情報通知手段とを含むことを特徴とする。
【手続補正１７】
【補正対象書類名】明細書
【補正対象項目名】００３６
【補正方法】変更
【補正の内容】
【００３６】
このような構成であれば、発明４のサービス提供システムにおけるサービス提供側設備と同等の作用が得られる。したがって、発明４のサービス提供システムと同等の効果が得られる。
〔発明１９〕
さらに、発明１９のサービス提供側設備は、
発明１５のサービス提供システムにおける提供対象デバイスに通信可能に接続する設備であって、
前記バンドルを生成するバンドル生成手段と、前記バンドル生成手段で生成したバンドルを前記提供対象デバイスに送信するバンドル送信手段と、前記デバイス情報通知手段から通知されたデバイス情報に基づいて前記提供対象デバイスにつきサービスを提供するサービス提供手段とを備え、
前記バンドルは、前記提供対象デバイスから前記デバイス情報を取得するデバイス情報取得手段と、前記デバイス情報取得手段で取得したデバイス情報を当該に通知するデバイス情報通知手段とを含むことを特徴とする。
【手続補正１８】
【補正対象書類名】明細書
【補正対象項目名】００３７
【補正方法】変更
【補正の内容】
【００３７】
このような構成であれば、発明１５のサービス提供システムにおけるサービス提供側設備と同等の作用が得られる。したがって、発明１５のサービス提供システムと同等の効果が得られる。
〔発明２０〕
一方、上記目的を達成するために、発明２０のバンドル管理端末は、
発明５のサービス提供システムにおけるサービス提供端末およびゲートウェイ端末に通信可能に接続する端末であって、
前記サービス提供端末からの要求に応じて前記バンドルを生成するバンドル生成手段と、前記バンドル生成手段で生成したバンドルを前記ゲートウェイ端末に送信するバンドル送信手段とを備え、
前記バンドルは、前記デバイス情報を取得するデバイス情報取得手段と、前記デバイス情報取得手段で取得したデバイス情報を前記サービス提供端末に通知するデバイス情報通知手段とを含むことを特徴とする。
【手続補正１９】
【補正対象書類名】明細書
【補正対象項目名】００３８
【補正方法】変更
【補正の内容】
【００３８】
このような構成であれば、発明５のサービス提供システムにおけるバンドル管理端末と同等の作用が得られる。したがって、発明５のサービス提供システムと同等の効果が得られる。
〔発明２１〕
さらに、発明２１のバンドル管理端末は、
発明１６のサービス提供システムにおけるサービス提供端末および提供対象デバイスに通信可能に接続する端末であって、
前記サービス提供端末からの要求に応じて前記バンドルを生成するバンドル生成手段と、前記バンドル生成手段で生成したバンドルを前記提供対象デバイスに送信するバンドル送信手段とを備え、
前記バンドルは、前記提供対象デバイスから前記デバイス情報を取得するデバイス情報取得手段と、前記デバイス情報取得手段で取得したデバイス情報を前記サービス提供端末に通知するデバイス情報通知手段とを含むことを特徴とする。
【手続補正２０】
【補正対象書類名】明細書
【補正対象項目名】００３９
【補正方法】変更
【補正の内容】
【００３９】
このような構成であれば、発明１６のサービス提供システムにおけるバンドル管理端末と同等の作用が得られる。したがって、発明１６のサービス提供システムと同等の効果が得られる。
〔発明２２〕
一方、上記目的を達成するために、発明２２のサービス提供端末は、
発明５のサービス提供システムにおけるバンドル管理端末およびゲートウェイ端末に通信可能に接続する端末であって、
前記デバイス情報通知手段から通知されたデバイス情報に基づいて前記提供対象デバイスにつきサービスを提供するサービス提供手段を備えることを特徴とする。
【手続補正２１】
【補正対象書類名】明細書
【補正対象項目名】００４０
【補正方法】変更
【補正の内容】
【００４０】
このような構成であれば、発明５のサービス提供システムにおけるサービス提供端末と同等の作用が得られる。したがって、発明５のサービス提供システムと同等の効果が得られる。
〔発明２３〕
さらに、発明２３のサービス提供端末は、
発明１６のサービス提供システムにおけるバンドル管理端末および提供対象デバイスに通信可能に接続する端末であって、
前記デバイス情報通知手段から通知されたデバイス情報に基づいて前記提供対象デバイスにつきサービスを提供するサービス提供手段を備えることを特徴とする。
【手続補正２２】
【補正対象書類名】明細書
【補正対象項目名】００４１
【補正方法】変更
【補正の内容】
【００４１】
このような構成であれば、発明１６のサービス提供システムにおけるサービス提供端末と同等の作用が得られる。したがって、発明１６のサービス提供システムと同等の効果が得られる。
〔発明２４〕
一方、上記目的を達成するために、発明２４の端末用プログラムは、
コンピュータからなる発明２０のバンドル管理端末に実行させるためのプログラムであって、
前記サービス提供端末からの要求に応じて前記バンドルを生成するバンドル生成手段、および前記バンドル生成手段で生成したバンドルを前記ゲートウェイ端末に送信するバンドル送信手段として実現される処理を実行させるためのプログラムであり、
前記バンドルは、前記デバイス情報を取得するデバイス情報取得手段と、前記デバイス情報取得手段で取得したデバイス情報を前記サービス提供端末に通知するデバイス情報通知手段とを含むことを特徴とする。
【手続補正２３】
【補正対象書類名】明細書
【補正対象項目名】００４２
【補正方法】変更
【補正の内容】
【００４２】
このような構成であれば、バンドル管理端末によってプログラムが読み取られ、読み取られたプログラムに従ってバンドル管理端末が処理を実行すると、発明２０のバンドル管理端末と同等の作用および効果が得られる。
〔発明２５〕
さらに、発明２５の端末用プログラムは、
コンピュータからなる発明２１のバンドル管理端末に実行させるためのプログラムであって、
前記サービス提供端末からの要求に応じて前記バンドルを生成するバンドル生成手段、および前記バンドル生成手段で生成したバンドルを前記提供対象デバイスに送信するバンドル送信手段として実現される処理を実行させるためのプログラムであり、
前記バンドルは、前記提供対象デバイスから前記デバイス情報を取得するデバイス情報取得手段と、前記デバイス情報取得手段で取得したデバイス情報を前記サービス提供端末に通知するデバイス情報通知手段とを含むことを特徴とする。
【手続補正２４】
【補正対象書類名】明細書
【補正対象項目名】００４３
【補正方法】変更
【補正の内容】
【００４３】
このような構成であれば、バンドル管理端末によってプログラムが読み取られ、読み取られたプログラムに従ってバンドル管理端末が処理を実行すると、発明２１のバンドル管理端末と同等の作用および効果が得られる。
〔発明２６〕
さらに、発明２６の端末用プログラムは、
コンピュータからなる発明２２のサービス提供端末に実行させるためのプログラムであって、
前記デバイス情報通知手段から通知されたデバイス情報に基づいて前記提供対象デバイスにつきサービスを提供するサービス提供手段として実現される処理を実行させるためのプログラムであることを特徴とする。
【手続補正２５】
【補正対象書類名】明細書
【補正対象項目名】００４４
【補正方法】変更
【補正の内容】
【００４４】
このような構成であれば、サービス提供端末によってプログラムが読み取られ、読み取られたプログラムに従ってサービス提供端末が処理を実行すると、発明２２のサービス提供端末と同等の作用および効果が得られる。
〔発明２７〕
さらに、発明２７の端末用プログラムは、
コンピュータからなる発明２３のサービス提供端末に実行させるためのプログラムであって、
前記デバイス情報通知手段から通知されたデバイス情報に基づいて前記提供対象デバイスにつきサービスを提供するサービス提供手段として実現される処理を実行させるためのプログラムであることを特徴とする。
【手続補正２６】
【補正対象書類名】明細書
【補正対象項目名】００４５
【補正方法】変更
【補正の内容】
【００４５】
このような構成であれば、サービス提供端末によってプログラムが読み取られ、読み取られたプログラムに従ってサービス提供端末が処理を実行すると、発明２３のサービス提供端末と同等の作用および効果が得られる。
〔発明２８〕
一方、上記目的を達成するために、発明２８のバンドルのデータ構造は、
発明４のサービス提供システムにおけるゲートウェイ端末に適用するであって、
前記デバイス情報を取得するデバイス情報取得手段と、前記デバイス情報取得手段で取得したデバイス情報を前記サービス提供側設備に通知するデバイス情報通知手段とを含むことを特徴とする。
【手続補正２７】
【補正対象書類名】明細書
【補正対象項目名】００４６
【補正方法】変更
【補正の内容】
【００４６】
このような構成であれば、ゲートウェイ端末では、本発明に係るバンドルを受信すると、受信したバンドルに基づいてデバイス情報取得手段およびデバイス情報通知手段が構成される。その結果、デバイス情報取得手段により、デバイス情報が取得され、デバイス情報通知手段により、取得されたデバイス情報がサービス提供側設備に通知される。
なお、サービス提供側設備以降の作用については、発明４のサービス提供システムと同様である。
これにより、発明４のサービス提供システムと同等の効果が得られる。
〔発明２９〕
さらに、発明２９のバンドルのデータ構造は、
発明１５のサービス提供システムにおける提供対象デバイスに適用するであって、
前記提供対象デバイスから前記デバイス情報を取得するデバイス情報取得手段と、前記デバイス情報取得手段で取得したデバイス情報を前記サービス提供側設備に通知するデバイス情報通知手段とを含むことを特徴とする。
【手続補正２８】
【補正対象書類名】明細書
【補正対象項目名】００４７
【補正方法】変更
【補正の内容】
【００４７】
このような構成であれば、提供対象デバイスでは、本発明に係るバンドルを受信すると、受信したバンドルに基づいてデバイス情報取得手段およびデバイス情報通知手段が構成される。その結果、デバイス情報取得手段により、提供対象デバイスからデバイス情報が取得され、デバイス情報通知手段により、取得されたデバイス情報がサービス提供側設備に通知される。
なお、サービス提供側設備以降の作用については、発明１５のサービス提供システムと同様である。
これにより、発明１５のサービス提供システムと同等の効果が得られる。
〔発明３０〕
一方、上記目的を達成するために、発明３０のサービス提供方法は、
サービスを提供するサービス提供側設備と、サービスの提供対象となる提供対象デバイスを通信可能に接続するゲートウェイ端末とを通信可能に接続し、前記サービス提供側設備がサービスを提供するにあたって前記ゲートウェイ端末にバンドルを適用し、前記提供対象デバイスに関するデバイス情報を前記バンドルにより取得し、取得したデバイス情報に基づいて前記提供対象デバイスにサービスを提供する方法であって、
前記バンドルは、前記デバイス情報を取得するデバイス情報取得手段と、前記デバイス情報取得手段で取得したデバイス情報を前記サービス提供側設備に通知するデバイス情報通知手段とを含み、
前記サービス提供側設備に対しては、前記バンドルを生成するバンドル生成ステップと、前記バンドル生成ステップで生成したバンドルを前記ゲートウェイ端末に送信するバンドル送信ステップとを含み、
前記ゲートウェイ端末に対しては、前記バンドルを受信したときは、受信したバンドルに基づいて前記デバイス情報取得手段および前記デバイス情報通知手段を構成する構成ステップを含み、
前記サービス提供側設備に対しては、前記デバイス情報通知手段から通知されたデバイス情報に基づいて前記提供対象デバイスにサービスを提供するサービス提供ステップを含むことを特徴とする。
これにより、発明４のサービス提供システムと同等の効果が得られる。
〔発明３１〕
さらに、発明３１のサービス提供方法は、
サービスを提供するサービス提供側設備と、サービスの提供対象となる提供対象デバイスとを通信可能に接続し、前記サービス提供側設備がサービスを提供するにあたって前記提供対象デバイスにバンドルを適用し、前記提供対象デバイスに関するデバイス情報を前記バンドルにより取得し、取得したデバイス情報に基づいて前記提供対象デバイスにサービスを提供する方法であって、
前記バンドルは、前記提供対象デバイスから前記デバイス情報を取得するデバイス情報取得手段と、前記デバイス情報取得手段で取得したデバイス情報を前記サービス提供側設備に通知するデバイス情報通知手段とを含み、
前記サービス提供側設備に対しては、前記バンドルを生成するバンドル生成ステップと、前記バンドル生成ステップで生成したバンドルを前記提供対象デバイスに送信するバンドル送信ステップとを含み、
前記提供対象デバイスに対しては、前記バンドルを受信したときは、受信したバンドルに基づいて前記デバイス情報取得手段および前記デバイス情報通知手段を構成する構成ステップを含み、
前記サービス提供側設備に対しては、前記デバイス情報通知手段から通知されたデバイス情報に基づいて前記提供対象デバイスにサービスを提供するサービス提供ステップを含むことを特徴とする。
これにより、発明１５のサービス提供システムと同等の効果が得られる。
〔発明３２〕
一方、上記目的を達成するために、発明３２のバンドルの生成方法は、
発明２８のバンドルのデータ構造におけるバンドルを生成する方法であって、
前記バンドルを生成するバンドル生成ステップを含み、
前記バンドルは、前記デバイス情報を取得するデバイス情報取得手段と、前記デバイス情報取得手段で取得したデバイス情報を前記サービス提供側設備に通知するデバイス情報通知手段とを含むことを特徴とする。
これにより、発明２８のバンドルのデータ構造と同等の効果が得られる。
〔発明３３〕
さらに、発明３３のバンドルの生成方法は、
発明２９のバンドルのデータ構造におけるバンドルを生成する方法であって、
前記バンドルを生成するバンドル生成ステップを含み、
前記バンドルは、前記提供対象デバイスから前記デバイス情報を取得するデバイス情報取得手段と、前記デバイス情報取得手段で取得したデバイス情報を前記サービス提供側設備に通知するデバイス情報通知手段とを含むことを特徴とする。
これにより、発明２９のバンドルのデータ構造と同等の効果が得られる。
【手続補正２９】
【補正対象書類名】明細書
【補正対象項目名】０１３４
【補正方法】削除
【補正の内容】
【手続補正３０】
【補正対象書類名】明細書
【補正対象項目名】０１３５
【補正方法】削除
【補正の内容】
【手続補正３１】
【補正対象書類名】明細書
【補正対象項目名】０１３６
【補正方法】削除
【補正の内容】
【手続補正３２】
【補正対象書類名】明細書
【補正対象項目名】０１３７
【補正方法】削除
【補正の内容】
【手続補正３３】
【補正対象書類名】明細書
【補正対象項目名】０１３８
【補正方法】削除
【補正の内容】
【手続補正３４】
【補正対象書類名】明細書
【補正対象項目名】０１３９
【補正方法】削除
【補正の内容】
【手続補正３５】
【補正対象書類名】明細書
【補正対象項目名】０１４０
【補正方法】削除
【補正の内容】
【手続補正３６】
【補正対象書類名】明細書
【補正対象項目名】０１４１
【補正方法】削除
【補正の内容】
【手続補正３７】
【補正対象書類名】明細書
【補正対象項目名】０１４２
【補正方法】削除
【補正の内容】
【手続補正３８】
【補正対象書類名】明細書
【補正対象項目名】０１４３
【補正方法】削除
【補正の内容】
【手続補正３９】
【補正対象書類名】明細書
【補正対象項目名】０１４４
【補正方法】削除
【補正の内容】